(57)【特許請求の範囲】
【請求項１】
底壁（３）の両側に外面側壁（４）、（５）及び内面側壁（６）、（７）をそれぞれ順次連接し、底壁（３）の両端に端壁（８）、（９）をそれぞれ連接するとともに端壁（８）の先端に筒状容器挿通孔（１１a）を有する頂壁（１１）、この頂壁（１１）を略水平に支持するための支持壁（１２）、及び貼着片（１３）を順次連接し、さらに外面側壁（４）、（５）と端壁（８）、（９）との間にそれぞれ罫線（１８）、（１９）、（２０）、（２１）で山折りされる一対の三角形部分（１４a、１４b）、（１５a、１５b）、（１６a、１６b）、（１７a、１７b）より成るコーナーウエブ部（１４）、（１５）、（１６）、（１７）を設けたブランク板により形成され、支持壁（１２）を頂壁（１１）との境界部分で谷折りし、端壁（８）、（９）及びコーナーウエブ部（１４）、（１５）、（１６）、（１７）をそれぞれ底壁（３）及び外面側壁（４）、（５）との境界部分で谷折りして貼着片（１３）を底壁（３）に貼着するとともにコーナーウエブ部（１４）、（１５）、（１６）、（１７）の一方の三角形部分（１４b）、（１５b）、（１６b）、（１７b）をそれぞれ外面側壁（４）、（５）に貼着し、さらに内面側壁（６）、（７）をそれぞれ外面側壁（４）、（５）との境界部分で谷折りしてこれらを外面側壁（４）、（５）に貼着して成り、内面側壁（６）、（７）の端部には罫線（２２）、（２３）、（２４）、（２５）が設けられており、端壁（８）、（９）を起立させると、罫線に沿って折れ曲がり、外面側壁（４）、（５）、内面側壁（６）、（７）が起立するとともに、支持壁（１２）が起立して食品載置部（１）及び筒状容器保持部（２）が形成されるようにしたことを特徴とする食品及び筒状容器の携行トレー。
【請求項２】
前記ブランク板が、端壁（９）の先端に補強壁（１０）を連接したものであり、この補強壁（１０）を端壁（９）との境界部分で谷折りして端壁（９）に貼着して成ることを特徴とする請求項1に記載の食品及び筒状容器の携行トレー。
【請求項３】
前記ブランク板が、端壁（９）の先端に頂壁（１１）、支持壁（１２）、及び貼着片（１３）を順次連接したものであり、立体化したときに一対の筒状容器保持部（２）、（２）が形成されるようにしたことを特徴とする請求項1に記載の食品及び筒状容器の携行トレー。
【発明の詳細な説明】
【０００１】
【発明の属する技術分野】
本発明は、厚紙等から成るブランク板により形成され、ドライブスルーや立食パーティ会場等で使用される食品及び筒状容器の携行トレーに関するものである。
【０００２】
【従来の技術】
図５は従来のこの種の携行トレーの斜視図であり、図６は図５のＢ−Ｂ線断面図、図７はこの携行トレーを形成するブランク板の展開図である。
【０００３】
この携行トレーは、紙コップ等の筒状容器を起立状態に保持する左右一対の筒状容器保持部１０１、１０１と、この左右一対の筒状容器保持部１０１、１０１間に設けられた食品載置部１０２とを備えている。
【０００４】
この携行トレーを図７に示す展開状態から組み立てるには、まず、所要箇所を折り曲げて胴貼り用接合片１２２を側壁１０５ａ、１０５ｂ、１０５ｃの内面に貼着し、側壁１０５ａ、１０５ｂ、１０５ｃと底壁１０３ａ、１０３ｂ、１０３ｃ及び立ち上がり壁１１２、１１２とを下にして、その上面に頂壁１０６、１０６、内外両端壁１０８、１０８、１１４、１１４及び側壁１０４ａ、１０４ｂ、１０４ｃを重ね合わせて扁平な折り畳み状態とする。
【０００５】
使用に際しては、まず、両側壁１０４ａ、１０４ｂ、１０４ｃ、１０５ａ、１０５ｂ、１０５ｃを起立させて筒状とした後、内端壁１０８、１０８を下向きに折り曲げ、内端壁１０８、１０８の下端縁両端の係止突片１１０、１１０、１１０、１１０を両側壁の係止嵌入孔１１１、１１１、１１１、１１１に嵌入して、内端壁１０８、１０８を斜状の立ち上がり状態とする。
【０００６】
次に、立ち上がり壁１１２、１１２を上向きに折り曲げて起立させ、次いで外端壁１１４、１１４を下向きに折り曲げて立ち上がり壁１１２、１１２の外面に重ね合わせ、差込突片１１５、１１５の近傍位置を押圧して外端壁１１４、１１４を内方に押し込むと、自動的に差込突片１１５、１１５、１１５、１１５が立ち上がり壁１１２、１１２の透孔１１３、１１３、１１３、１１３に嵌入して組み立てが完了する。
【０００７】
この組み立て完了状態において、図６に示すように、手指を手指挿入孔１０９、１０９に挿入し、飲料物が収容された紙コップ等の筒状容器Ｃを筒状容器挿通孔１０７、１０７、１０７、１０７に挿通して底壁１０３ａ、１０３ｃ上に載置し、食品Ｆを食品載置部１０２に載置して持ち運ぶ。なお、図示例では左右両側に筒状保持部１０１が設けられているが、筒状容器保持部１０１が片側のみに設けられている場合も有る。
【０００８】
【発明が解決しようとする課題】
上述した従来の携行トレーは、使用可能な状態に立体化するのに手間がかかるという問題点があった。
また、従来の携行トレーは手指挿入孔１０９が下面に設けられていて目立ちにくいため、使用者が側壁１０４ｂ、１０５ｂの部分を手で持って携行することが多く、この場合、側壁１０４ｂ、１０５ｂが一枚壁で強度が低いため、この部分が変形して食品Ｆや筒状容器Ｃが落下する恐れが有った。特に、筒状容器保持部１０１を片側のみに設けた場合には、側壁１０４ｂ、１０５ｂの長さが長くなって撓み易くなるとともに筒状容器Ｃを載せたときのバランスが悪くなるため、食品Ｆや筒状容器Ｃを落とす恐れがさらに高くなる。
【０００９】
本発明は上述した問題点に鑑みてなされたものであり、その目的は、容易に立体化することができ、かつ安全性の向上を図った食品及び筒状容器の携行トレーを提供することにある。
【００１０】
上記目的を達成するために、請求項1に記載の食品記載の筒状容器の携行トレーは、図示例のように、底壁（３）の両側に外面側壁（４）、（５）及び内面側壁（６）、（７）をそれぞれ順次連接し、底壁（３）の両端に端壁（８）、（９）をそれぞれ連接するとともに端壁（８）の先端に筒状容器挿通孔（１１a）を有する頂壁（１１）、この頂壁（１１）を略水平に支持するための支持壁（１２）、及び貼着片（１３）を順次連接し、さらに外面側壁（４）、（５）と端壁（８）、（９）との間にそれぞれ罫線（１８）、（１９）、（２０）、（２１）で山折りされる一対の三角形部分（１４a、１４b）、（１５a、１５b）、（１６a、１６b）、（１７a、１７b）より成るコーナーウエブ部（１４）、（１５）、（１６）、（１７）を設けたブランク板により形成され、支持壁（１２）を頂壁（１１）との境界部分で谷折りし、端壁（８）、（９）及びコーナーウエブ部（１４）、（１５）、（１６）、（１７）をそれぞれ底壁（３）及び外面側壁（４）、（５）との境界部分で谷折りして貼着片（１３）を底壁（３）に貼着するとともにコーナーウエブ部（１４）、（１５）、（１６）、（１７）の一方の三角形部分（１４b）、（１５b）、（１６b）、（１７b）をそれぞれ外面側壁（４）、（５）に貼着し、さらに内面側壁（６）、（７）をそれぞれ外面側壁（４）、（５）との境界部分で谷折りしてこれらを外面側壁（４）、（５）に貼着して成り、内面側壁（６）、（７）の端部には罫線（２２）、（２３）、（２４）、（２５）が設けられており、端壁（８）、（９）を起立させると、罫線に沿って折れ曲がり、外面側壁（４）、（５）、内面側壁（６）、（７）が起立するとともに、支持壁（１２）が起立して食品載置部（１）及び筒状容器保持部（２）が形成されるようにしたことを特徴とするものである。
【００１１】
また、請求項２に記載の食品及び筒状容器の携行トレーは、請求項１に記載の食品及び筒状容器の携行トレーにおいて、前記ブランク板が、端壁（９）の先端に補強壁（１０）を連接したものであり、この補強壁（１０）を端壁（９）との境界部分で谷折りして端壁（９）に貼着して成ることを特徴とするものである。
【００１２】
また、請求項３に記載の食品及び筒状容器の携行トレーは、請求項１に記載の食品及び筒状容器の携行トレーにおいて、前記ブランク板が、端壁（９）の先端に頂壁（１１）、支持壁（１２）、及び貼着片（１３）を順次連接したものであり、立体化したときに一対の筒状容器保持部（２）、（２）が形成されるようにしたことを特徴とするものである。
【００１３】
【発明の実施の形態】
以下、本発明の具体的な実施形態を図面を参照しながら説明する。
図１は本発明の一実施形態である食品及び筒状容器の携行トレーの斜視図、図２は図１のＡ−Ａ線断面図、図３は図１の携行トレーを形成するブランク板の展開図、図４は図１の携行トレーの折り畳み状態の平面図である。
【００１４】
図１に示すように、この携行トレーは、食品を載置する食品載置部１と、紙コップ、金属缶等の筒状容器を起立状態に保持する筒状容器保持部２とを備えている。
【００１５】
このトレーを形成するブランク板は厚紙等から成り、図３に示すように、底壁３と、底壁３の両側にそれぞれ順次対称的に連接された外面側壁４、５及び内面側壁６、７と、底壁３の両端に対称的に連接された端壁８、９と、端壁９の先端に連接された補強壁１０と、端壁８の先端に順次連接された頂壁１１、支持壁１２、及び貼着片１３と、外面側壁４、５と端壁８、９との間にそれぞれ設けられたコーナーウエブ部１４、１５、１６、及び１７とを有している。
【００１６】
頂壁１１には筒状容器挿通孔１１ａが形成されている。コーナーウエブ部１４、１５、１６、１７はそれぞれ罫線１８、１９、２０、２１で山折りされる一対の三角形部分１４ａ、１４ｂ；１５ａ、１５ｂ；１６ａ、１６ｂ；１７ａ、１７ｂより成っている。内面側壁６、７にはそれぞれ罫線２２、２３；２４、２５が外方に向かうに従って互いに接近するように設けられている。
【００１７】
底壁３及び外面側壁４、５と端壁８及びコーナーウエブ部１４、１５との境界部分には罫線２６が設けられ、底壁３及び外面側壁４、５と端壁９及びコーナーウエブ部１６、１７との境界部分には罫線２７が設けられている。また、底壁３及び端壁８、９と外面側壁４及びコーナーウエブ部１４、１６との境界部分には罫線２８が設けられ、底壁３及び端壁８、９と外面側壁５及びコーナーウエブ部１５、１７との境界部分には罫線２９が設けられている。内面側壁６、７と外面側壁４、５との境界部分にはそれぞれ罫線３０、３１が設けられている。また、端壁８と頂壁１１との境界部分には罫線３２が設けられ、頂壁１１と支持壁１２との境界部分には罫線３３が設けられ、支持壁１２と貼着片１３との境界部分には罫線３４が設けられている。さらに、端壁９と補強壁１０との境界部分には罫線３５が設けられている。
【００１８】
上記のような構成のブランク板は、貼着片１３を罫線３４に沿って山折りし、支持壁１２を罫線３３に沿って谷折りして頂壁１１上に重ね、貼着片１３の内面及びコーナーウエブ部１４、１５の三角形部分１４ｂ、１５ｂの内面に接着剤を塗布し、コーナーウエブ部１４、１５及び端壁８を罫線２６に沿って谷折りし、コーナーウエブ部１４、１５の三角形部分１４ｂ、１５ｂをそれぞれ外面側壁４、５の内面に貼着するとともに貼着片１３を底壁３の内面に貼着する。
【００１９】
また、補強壁１０の内面に接着剤を塗布し、補強壁１０を罫線３５に沿って谷折りして補強壁１０を端壁９の内面に貼着し、コーナーウエブ部１６、１７の三角形部分１６ｂ、１７ｂの内面に接着剤を塗布し、コーナーウエブ部１６、１７及び端壁９を罫線２７に沿って谷折りし、コーナーウエブ部１６、１７の三角形部分１６ｂ、１７ｂをそれぞれ外面側壁４、５の内面に貼着する。そして、内面側壁６、７における罫線２２、２３；２４、２５よりも内側の部分の内面に接着剤を塗布し、内面側壁６、７を罫線３０、３１で谷折りして外面側壁４、５の内面に貼着すると、図４に示すように扁平な折り畳み状態の携行トレーとなる。得られた携行トレーは店頭で使用するまでこのままの状態で保管される。
【００２０】
使用に際しては、両手で端壁８、９を持って垂直に起立させると、これに連動して、外面側壁４、５及び内面側壁６、７が垂直に起立するとともに、支持壁１２が垂直に起立して頂壁１１が略水平となり、図１に示すように食品載置部１及び筒状容器保持部２が形成される。
このように本発明の携行トレーはワンタッチで立体化することができるため、店頭における取り扱い性が非常に良い。
【００２１】
なお、端壁８、９を起立させる際には、図４に示すように、一方の三角形部分１４ａ、１５ａ、１６ａ、１７ａがそれぞれ内面側壁６、７の端部を押し上げ、これを乗り越えて他方の三角形部分１４ｂ、１５ｂ、１６ｂ、１７ｂと重なり合うことになるが、内面側壁６、７の端部には罫線２２、２３、２４、２５が設けられているため、三角形部分１４ａ、１５ａ、１６ａ、１７ａによって押し上げられたときに罫線２２、２３、２４、２５に沿って折れ曲がり、これによって三角形部分１４ａ、１５ａ、１６ａ、１７ａが内面側壁６、７の端部を容易に乗り越えることができる。したがって、端壁８、９を起立させる際の抵抗が少なく、携行トレーをスムーズに立体化させることができるものである。なお、このように内面側壁６、７の端部に罫線２２、２３、２４、２５を設けるかわりに、内面側壁６、７の両端部を切除して端壁８、９を起立させる際に三角形部分１４ａ、１５ａ、１６ａ、１７ａが内面側壁６、７に当接しないようにしてもよい。
【００２２】
図２に示すように立体化した携行トレーの筒状容器保持部２の筒状容器挿通孔１１ａに紙コップ等の筒状容器Ｃを挿通して底壁３上に載置すると、筒状容器Ｃが起立した状態に保持される。また、食品載置部１には、ドーナツやハンバーガー、スナック菓子等の食品Ｆが載置される。筒状容器Ｃ及び食品Ｆが収容された携行トレーは、両側壁や筒状容器保持部２が設けられていない側の端壁９等の部分を手で持って携行するが、両側壁及び端壁９は二重壁状に構成されていて剛性が高いため、変形しにくく、食品Ｆや筒状容器Ｃが落下する危険性が少ない。
【００２３】
なお、本発明は上記実施形態に限定されるものではなく、種々の変更が可能である。
【００２４】
例えば、端壁９に補強壁１０に代えて頂壁１１、支持壁１２、及び貼着片１３を連接し、これらを端壁８側の頂壁１１、支持壁１２、及び貼着片１３と同様に折り曲げて貼着片１３を底壁３に貼着し、立体化したときに一対の筒状容器保持部２、２が形成されるようにしてもよい。
【００２５】
また、筒状容器保持部２の頂壁１１には筒状容器挿通孔１１ａを複数個設けるようにしてもよい。
【００２６】
その他にも、本発明の要旨を逸脱しない範囲で種々の変更が可能である。
【００２７】
【発明の効果】
以上説明したように本発明の携行トレーは、ワンタッチで使用可能な状態に立体化することができる。また、両側壁が二重壁状に構成されていて剛性が高く、この部分を手で持って携行する場合に変形しにくいため、安全性が高い。
【００２８】
また、請求項２に記載の携行トレーは、筒状容器保持部が設けられていない側の端壁が二重壁状に構成されていて剛性が高く、この部分を手で持って携行する場合に変形しにくいため、安全性が高い。
【図面の簡単な説明】
【図１】  本発明の一実施形態である食品及び筒状容器の携行トレーの斜視図。
【図２】  図１のＡ−Ａ線断面図。
【図３】  図１の携行トレーを形成するブランク板の展開図。
【図４】  図１の携行トレーの折り畳み状態の平面図。
【図５】  従来の携行トレーの斜視図。
【図６】  図５のＢ−Ｂ線断面図。
【図７】  図５の携行トレーを形成するブランク板の展開図。
【符号の説明】
１  食品載置部
２  筒状容器保持部
３  底壁
４、５  外面側壁
６、７  内面側壁
８、９  端壁
１１  頂壁
１２  支持壁
１３  貼着片
１４、１５、１６、１７  コーナーウエブ部
【図１】
0004187325.tif 000002
【図２】
0004187325.tif 000003
【図３】
0004187325.tif 000004
【図４】
0004187325.tif 000005
【図５】
0004187325.tif 000006
【図６】
0004187325.tif 000007
【図７】
0004187325.tif 000008